(57)【要約】      （修正有）【課題】外観形状が良好であり確実に連結が行われ、簡単な操作で連結解除可能な紐留め具を提供する。【解決手段】紐１２の紐端部１２ａ，１２ｂに取り付けられるプラグ１４とソケット１６からなる。プラグの基部１４ｂには、紐端部１２ａを保持する保持突起２９を有する。プラグの先端部１４ａには、ソケット側に突出した挿入部２０と、挿入部に設けられ挿入部の突出方向及びソケットへの挿入方向と直交する方向に突出した係合部２５と、係合部の表面に突設された係合突起を備える。ソケットの基部１６ｂには、紐端部１２ｂを収容し保持する保持突起３９が突出した紐収容部３８を有する。ソケットの先端部１６ａには、プラグ側に開口するとともにプラグ側と直交する方向にも連続して開口した被挿入部１８を備える。被挿入部内には、係合部２５が係合する被係合部１８ａと、係合部の表面に突設された前記係合突起が係合する係合凹部３６を備える。【選択図】図１
0003202559.tif 000002
【実用新案登録請求の範囲】
【請求項１】
互いに連結及び連結解除可能で各々紐（１２）の紐端部（１２ａ，１２ｂ）に取り付けられるプラグ（１４）とソケット（１６）から成り、
前記プラグ（１４）の基部（１４ｂ）には、前記紐端部（１２ａ）を保持する保持部（２９）が形成され、前記プラグ（１４）の先端部（１４ａ）には、前記ソケット（１６）側に突出した挿入部（２０）が形成され、
前記挿入部（２０）は、前記挿入部（２０）の突出方向及び前記ソケット（１６）への挿入方向と直交する方向に突出した係合部（２５）と、前記係合部（２５）の表面に突設された係合突起（２６）を備え、前記係合部（２５）の、前記挿入部（２０）の突出方向の幅は、前記ソケット（１６）への挿入方向の先端部に向かうに従い狭くなるように形成され、
前記ソケット（１６）の基部（１６ｂ）には、前記紐端部（１２ｂ）を保持する保持部（３９）が形成され、前記ソケット（１６）の先端部（１６ａ）には、前記挿入部（２０）が挿入される被挿入部（１８）を備え、
前記被挿入部（１８）は、前記プラグ（１４）側に開口する第一開口部（１９ｘ）と、前記挿入部（２０）の入り口側に開口する第二開口部（１９ｙ）とを備え、
前記被挿入部（１８）内には、前記係合部（２５）が係合する被係合部（１８ａ）と、前記係合突起（２６）が係合する係合凹部（３６）が設けられ、前記係合部（２５）が前記被挿入部（１８）の内面に当接して、前記プラグ（１４）と前記ソケット（１６）が連結されることを特徴とする紐留め具。
【請求項２】
前記係合部（２５）は、その前記挿入部（２０）の突出方向とは反対側の面が突出方向に傾斜して形成された挿入ガイド面（２５ｂ）を備える請求項１記載の紐留め具。
【請求項３】
前記係合部（２５）は、その前記挿入部（２０）の突出方向とは反対側の面に、前記挿入部（２０）の前記ソケット（１６）への挿入方向に沿う係合面（２５ａ）を備える請求項２記載の紐留め具。
【請求項４】
前記係合突起（２６）は、前記係合部（２５）の挿入方向に対して傾斜した斜面（２６ａ）を備える請求項１記載の紐留め具。
【請求項５】
前記被挿入部（１８）内には、前記係合部（２５）の先端が当接し位置決めされる突出部（３５）を備える請求項１または２記載の紐留め具。
【請求項６】
前記突出部（３５）は、前記係合部（２５）に形成された前記挿入ガイド面（２５ｂ）が接して位置決めされる斜面（３５ａ）を備える請求項２記載の紐留め具。
【請求項７】
前記プラグ（１４）及び前記ソケット（１６）の少なくとも一方は、その先端部（１４ａ，１６ａ）から基部（１４ｂ，１６ｂ）に向かって湾曲している請求項１記載の紐留め具。
【請求項８】
前記プラグ（１４）及び前記ソケット（１６）は、各々前記収容部（２３，２８，３３，３８）が形成された上部材（２１，３１）と下部材（２２，３２）とにより各々形成され、前記紐（１２）の両端部（１２ａ，１２ｂ）を、各々上前記部材（２１，３１）と前記下部材（２２，３２）の前記各収容部（２３，２８，３３，３８）により挟持して固定してなる請求項１記載の紐留め具。
【考案の詳細な説明】
【技術分野】
【０００１】
この考案は、紐の端部に取り付けられるプラグとソケットとから成り、互いに連結及び連結解除可能な紐留め具に関する。
【背景技術】
【０００２】
従来、紐やベルト等の二つの連結対象物を着脱自在に連結する紐留め具として、例えば特許文献１に開示されているように、ベルトの端部に挿入単体と、被挿入単体を設けたベルト用連結クリップであって、挿入単体をベルトの長さ方向に対して垂直方向から被挿入単体に挿入することによって、両単体を一体に連結するベルト用連結クリップがあった。この挿入単体側には凹溝が形成され、被挿入単体側にこの凹溝に嵌合する凸部が形成され、挿入単体の凹溝方向に沿って被挿入単体を挿入することにより連結する。そして、挿入単体と被挿入単体を引き離す方向であるベルトの長さ方向に強い力が加えられた場合、挿入単体の凹溝の開口端部が弾性的に押し広げられ、被挿入単体が外れるように形成されたものである。
【０００３】
また、特許文献２に開示されているように、雌部材側テープの端部に取り付けた雌部材と、雄部材側テープの端部に取り付けた雄部材からなる係止具がある。雌部材は、雌部材側テープ端部をインサート成形して固定した雌側基部と、係合用空間を有する係合部からなり、雄部材は、雄部材側テープ端部をインサート成形して固定した雄側基部と、係合用の突起を有する係合部からなる。雌部材と雄部材の係合を解除する場合、雄部材と雌部材を互いに屈曲させるように力を加えると、係合用空間内で各部材が弾性変形して突起による係合が外れ、雄部材と雌部材の係合を解除することができるものである。
【先行技術文献】
【特許文献】
【０００４】
【特許文献１】特開２００２−２２３８２２号公報
【特許文献２】特開２００２−３４５５１３号公報
【考案の概要】
【考案が解決しようとする課題】
【０００５】
上記特許文献１に記載のベルト用連結クリップは、ベルトの連結部分が外部に露出し外観上好ましくなく、挿入単体と被挿入単体の連結部分も回動可能で外部に露出し、この部分の外観も良好なものではない。さらに、挿入単体へ被挿入単体を嵌合させる際に、被挿入単体を凹溝に沿って正確に挿入しないと、スムーズに挿入できず、操作性が良くないものである。
【０００６】
上記特許文献２に記載の係止具は、雄部材と雌部材に各テープ端部をインサート成形して固定するものであり、製造が面倒であり、テープの交換も容易なものではない。さらに、係合部や係合用の突起及び貫通孔が露出しており、表面に凹部等が表れ、外観上も良好なものではない。
【０００７】
この考案は、上記背景技術の問題点に鑑みて成されたもので、外観形状が良好であり、確実に連結が行われ、簡単な操作で連結解除可能な紐留め具を提供することを目的とする。
【課題を解決するための手段】
【０００８】
この本考案は、互いに連結及び連結解除可能で各々紐端部に取り付けられるプラグとソケットから成り、前記プラグの基部には、前記紐端部を保持する保持部が形成され、前記プラグの先端部には、前記ソケット側に突出した挿入部が形成され、前記挿入部は、前記挿入部の突出方向及び前記ソケットへの挿入方向と直交する方向に突出した係合部と、前記係合部の表面に突設された係合突起を備え、前記係合部の、前記挿入部の突出方向の幅は、前記ソケットへの挿入方向の先端部に向かうに従い狭くなるように形成され、前記ソケットの基部には、前記紐端部を保持する保持部が形成され、前記ソケットの先端部には、前記挿入部が挿入される被挿入部を備え、前記被挿入部は、前記プラグ側に開口する第一開口部と、前記挿入部の入り口側に開口する第二開口部とを備え、前記被挿入部内には、前記係合部が係合する被係合部と、前記係合突起が係合する係合凹部が設けられ、前記係合部が前記被挿入部の内面に当接して、前記プラグと前記ソケットが連結される紐留め具である。
【０００９】
前記係合部は、その前記挿入部の突出方向とは反対側の面が突出方向に傾斜して形成された挿入ガイド面を備える。さらに、前記係合部は、その前記挿入部の突出方向とは反対側の面に、前記挿入部の前記ソケットへの挿入方向に沿う係合面を備える。また、前記係合突起は、前記係合部の挿入方向に対して傾斜した斜面を備える。
【００１０】
前記被挿入部内には、前記係合部の先端が当接し位置決めされる突出部を備える。さらに、前記突出部は、前記係合部に形成された前記挿入ガイド面が接して位置決めされる斜面を備えるものでも良い。また、前記プラグ及び前記ソケットの少なくとも一方は、その先端部から基部に向かって湾曲している構造であると良い。
【００１１】
前記プラグ及び前記ソケットは、各々前記収容部が形成された上部材と下部材とにより各々形成され、前記紐の両紐端部を、各々上前記部材と前記下部材の前記各収容部により挟持して固定してなるものである。
【考案の効果】
【００１２】
この考案の紐留め具は、プラグの挿入部とソケットの被挿入部の操作方向に対して直交する方向に係合部が突出し、挿入部の係合部と被挿入部の段部が係合することにより確実に連結される。しかも、挿入部や係合部が被挿入部内に隠れるので、良好な外観形状とすることができる。連結解除に際しては、挿入部の挿入方向と逆方向に操作して連結を解除するほか、プラグとソケットを互いに離間するように回動操作することによっても容易に連結が解除される。
【００１３】
さらに、係合部の幅が挿入方向に狭くなるように形成された挿入ガイド面を形成することにより、さらに挿入操作性が良くなるものである。
【００１４】
また、被挿入部内に突起を有することにより、挿入部を被挿入部に挿入した状態でのがたつきを防止する。さらに、プラグとソケットの少なくとも一方が、先端部から基部に向かって湾曲していることにより、プラグとソケットを引き離す方向に一定以上の力が加わると連結が解除され、安全性が高い。
【００１５】
この他、プラグとソケットは、各々収容部が形成された上部材と下部材により形成されているので、両紐端部が確実に収容部内に保持され、固定部分が見えず外観上も良好なものとすることができる。
【図面の簡単な説明】
【００１６】
【図１】この考案の一実施形態の紐留め具の分解斜視図である。
【図２】第一実施形態の紐留め具の非係合時の正面図である。
【図３】第一実施形態の紐留め具の非係合時の背面側斜視図である。
【図４】第一実施形態の紐留め具の非係合時の底面図である。
【図５】第一実施形態の紐留め具の非係合時の背面図である。
【図６】図４のＡ−Ａ断面図（ａ）と、Ｂ−Ｂ断面図（ｂ）である。
【図７】図４のＣ−Ｃ断面図である。
【図８】第一実施形態の紐留め具の係合時の正面図である。
【図９】第一実施形態の紐留め具の係合時の底面図である。
【図１０】第一実施形態の紐留め具の係合時の背面図である。
【図１１】図８のＤ−Ｄ断面図である。
【図１２】図１１のＥ−Ｅ断面図である。
【図１３】第一実施形態の紐留め具の係合操作時の背面図である。
【図１４】図７に示す断面図において係合解除操作順を示す各断面図（ａ）（ｂ）（ｃ）である。
【考案を実施するための形態】
【００１７】
以下、この考案の一実施形態の紐留め具１０について、図１〜図１４を基にして説明する。第一実施形態の紐留め具１０は、ネックレスやネームプレート用の紐１２の両紐端部１２ａ，１２ｂを連結及び分離可能とするもので、プラグ１４と、プラグ１４が嵌合して係止されるソケット１６とから成る。以後の説明において、プラグ１４とソケット１６が互いに接近・離反する方向を左右方向またはＸ軸方向と称し、左右方向と直交する方向であって後述する操作によりプラグ１４をソケット１６へ挿入する方向を前後方向またはＹ軸方向と称し、左右方向及び前後方向に直交する方向を上下方向またはＺ軸方向と称する。
【００１８】
プラグ１４は、ポリアセタール、ポリアミド、ポリプロピレンなどの合成樹脂により成形され、外形がほぼ円筒状に形成されている。プラグ１４の先端部１４ａには、Ｘ軸方向に突出し、ソケット１６の被挿入部１８にＹ軸方向に操作されて連結される挿入部２０が設けられている。プラグ１４は、先端部１４ａから僅かに基部１４ｂ寄りの位置で湾曲し、４５〜５０°程度滑らかにＹ軸方向に屈曲して、基部１４ｂに延びている。プラグ１４は、図１他に示すように、上下方向に分割した上部材２１と下部材２２により構成されている。
【００１９】
上部材２１は、図７に示すように、先端部１４ａより僅かに基部１４ｂ寄りの位置で半円柱状に切除され、中心軸に沿って半円筒状の中空の紐収容部２３が形成されている。紐収容部２３は、基部１４ｂに連通して開口し、基部１４ｂに紐挿通口２３ａが形成されている。紐収容部２３内には、Ｚ軸方向に突出した保持部である保持突起２４が形成され、保持突起２４が、紐端部１２ａに食い込んで紐端部１２ａを確実に保持する。さらに、上部材２１の中央部よりもやや基部１４ｂ側の紐収容部２３には、下部材２２と連結するための一対の係止突部２７が、下部材２２と対面する端面に突設されている。係止突部２７は断面がＬ字状に形成され、後述する下部材２２の係止孔２２ａの端縁の係止段部に係止される。
【００２０】
上部材２１の挿入部２０は、図１、図３他に示すように、矩形に形成されソケット１６の被挿入部１８に対して、前後方向であるＹ軸方向に摺動して挿入されるもので、挿入部２０の先端部２０ａ側には、Ｚ軸方向に突出した係合部２５が設けられている。係合部２５には、プラグ１４の基部１４ｂ側に面して、ＹＺ平面と平行な係合面２５ａと、係合面２５ａと交差し、挿入部２０の先端部２０ａ側に傾斜した挿入ガイド面２５ｂが形成されている。これにより、係合部２５の、挿入部２０の突出方向であるＸ軸方向の幅は、プラグ１４をソケット１６に挿入する方向の先端部に向かうに従い狭くなるように形成されている。挿入ガイド面２５ａは、係合部２５のＹ軸方向長さの１／２以上に形成されている。
【００２１】
係合部２５のＺ軸方向側面２５ｃには、さらにＺ軸方向に突出した係合突起２６が設けられている。係合突起２６は、Ｙ軸方向に対して互いに反対側に傾斜した斜面２６ａ，２６ｂを有し、後述する係合凹部３６との係合及び係合解除操作を容易にし、摩耗も防いでいる。斜面２６ａは、プラグ１４をソケット１６に連結する際に、被挿入部１８の開口部１８ｃへの挿入を容易にし、斜面２６ｂは、被挿入部１８に挿入された挿入部２０が抜けるのを防止しつつ、一定以上の力では、係合凹部３６との係合が外れる程度の傾斜に形成されている。従って、Ｙ軸方向に対する傾斜角度は、斜面２６ａは相対的に小さく、斜面２６ｂは相対的に大きい。
【００２２】
下部材２２は、上部材２１の先端部１４ａのやや基部１４ｂ側から基部１４ｂまでの紐収容部２３を覆うもので、上部材２１の形状に対応して湾曲した半円筒状に形成されている。下部材２２の内側にも紐収容部２８が形成され、上部材２１の紐収容部２３と対面して、紐１２の一方の紐端部１２ａを収容して保持する。紐収容部２８は、基部１４ｂに連通して開口し、基部１４ｂに紐挿通口２８ａが形成されている。紐収容部２８内には、３カ所に保持部である保持突起２９がＺ軸方向に突設され、紐端部１２ａに食い込んで紐端部１２ａを確実に保持する。さらに、紐収容部２８内の互いに対向する側面であって、上部材２１の係止突部２７と対向する位置に、一対の係止孔２２ａが設けられ、係止孔２２ａの下側端面が、係止突部２７が係止される係止段部となっている。
【００２３】
ソケット１６も、ポリアセタール、ポリアミド、ポリプロピレンなどの合成樹脂により成形され、外形が円筒状に形成されている。ソケット１６の先端部１６ａに、プラグ１４がＹ軸方向に操作されて連結される被挿入部１８が設けられている。ソケット１６は、先端部１６ａから僅かに基部１６ｂ寄りの位置で湾曲し、４５〜５０°程度滑らかにＹ軸方向に屈曲して、基部１６ｂに延びている。ソケット１６は、図１他に示すように、上下方向に分割した上部材３１と下部材３２により構成されている。
【００２４】
上部材３１は、図７に示すように、先端部１６ａより僅かに基部１６ｂ寄りの位置で半円柱状に切除され、中心軸に沿って半円筒状の中空の紐収容部３３が形成されている。紐収容部３３は、基部１６ｂに連通して開口し、基部１６ｂに紐挿通口３３ａが形成されている。紐収容部３３内には、Ｚ軸方向に突出した保持部である保持突起３４が形成され、保持突起３４が紐端部１２ｂに食い込んで紐端部１２ｂを確実に保持する。さらに、上部材３１の中央部よりもやや基部１６ｂ側の紐収容部３３には、下部材３２と連結するための一対の係止突部３７が、下部材２２と対面する端面に突設されている。係止突部３７は断面がＬ字状に形成され、後述する下部材３２の係止孔３２ａの端縁の係止段部に係止される。
【００２５】
上部材３１の被挿入部１８は、図１、図３他に示すように、矩形に形成されプラグ１４の挿入部２０がＹ軸方向に摺動して挿入されるもので、プラグ１４と対向するＸ軸方向の一方の第一開口部１９ｘ、及びプラグ１４の挿入部２０が挿入されるＹ軸方向の一方の第二開口部１９ｙを有する。ここで、挿入方向とは、挿入部２０の突出方向（Ｘ軸方向）と係合部２５の突出方向（Ｚ軸方向）とに直交する方向で、且つ、ソケット１６の第二開口部１９ｙを通して挿入部２０を被挿入部１８へ挿入するＹ軸方向である。つまり、被挿入部１８において、第一開口部１９ｘはプラグ１４側に開口し、第二開口部１９ｙは挿入部２０の入り口側に開口する。また、被挿入部１８のＺ軸方向の下方側の側面には、段状の被係合部１８ａが形成されて矩形の空間が広がっている。被係合部１８ａは、ＹＺ軸方向に平面が形成され、底部１８ｂには、ソケット１６の先端部１６ａ側の側壁に、突出部３５が形成されている。突出部３５の、収容空間３３側の端面である斜面３５ａは、係合部２５の挿入ガイド面２５ｂに対応して、Ｙ軸方向に対して傾斜して形成されている。被挿入部１８のＺ軸方向の下方側の側面には、プラグ１４の挿入部２０が被挿入部１８に挿入された状態で、係合突起２６が係合する係合凹部３６が形成されている。係合凹部３６は、ソケット１６の側面を貫通した孔である。
【００２６】
下部材３２は、上部材３１の被挿入部１８が形成された部分より基部１６ｂ側から、基部１６ｂに至る部分に形成された紐収容部３３を覆うもので、上部材３１の形状に対応して湾曲した半円筒状に形成されている。下部材３２の内側にも紐収容部３８が形成され、上部材３１の紐収容部３３と対面して、他方の紐端部１２ｂを収容して保持する。紐収容部３８内には、保持部である保持突起３９がＺ軸方向に突設され、紐端部１２ｂに食い込んで紐１２を確実に保持する。紐収容部３８は、基部１６ｂに連通して開口し、基部１６ｂに紐挿通口３８ａが形成されている。さらに、紐収容部３８内の互いに対向する側面であって、上部材３１の係止突部３７と対向する位置に、一対の係止孔３２ａが設けられ、係止孔３２ａの下側端面が、係止突部３７が係止される係止段部となっている。
【００２７】
この実施形態の紐留め具１０において、紐１２の両紐端部１２ａ、１２ｂをプラグ１４とソケット１６に固定する方法は、図１他に示すように、プラグ１４の上部材２１と下部材２２の各紐収容部２３，２８に、一方の紐端部１２ａを収容し、上部材２１の一対の係止突部２７を下部材２２係止孔２２ａに係止させる。このとき、紐収容部２３，２８内では、保持突起２４，２９が互いに反対方向から紐１２に食い込み確実に保持する。同様に、ソケット１６の上部材３１と下部材３２の各紐収容部３３，３８に、他方の紐端部１２ｂを収容し、上部材３１の一対の係止突部３７を下部材３２係止孔３２ａに係止させ、互いに反対方向から突出した保持突起３４，３９により紐１２を保持する。これにより、両紐端部１２ａ、１２ｂが、確実にプラグ１４とソケット１６内に固定される。
【００２８】
この実施形態の紐留め具１０の連結動作は、図１３に示すように、プラグ１４の挿入部２０を、ソケット１６の被挿入部１８の第二開口部１９ｙに対面させ、係合部２５の係合面２５ａを、被挿入部１８の被係合部１８ａに沿って挿入するように摺動させる。このとき、係合部２５の挿入ガイド面２５ｂがテーパに形成されているので、第二開口部１９ｙに容易に挿入される。挿入部２０の被挿入部１８内への挿入により、係合突起２６が被挿入部１８の開口縁部に当接するが、Ｙ軸方向に対して傾斜した斜面２６ａにより、容易に被挿入部１８が弾性変形し、係合突起２６が被挿入部１８内に挿入される。さらに、挿入部２０を被挿入部１８に挿入することにより、係合突起２６が係合凹部３６に嵌合し、両者が係合される。この状態で、係合突起２６の斜面２６ｂが係合凹部３６の周縁に当接し、容易に係合が外れないように保持する。このとき、挿入部１８の、先端部１６ａ側の被係合部１８ａとは反対側の壁面１８ｃに、係合部２５の係合面２５ａとは反対側の、挿入部２０の先端部２０ａがほぼ隙間なく嵌合して、プラグ１４とソケット１６が連結される。さらに、被挿入部１８内の突出部３５の斜面３５ａは、挿入ガイド面２５ｂに対面して接する。これにより、プラグ１４とソケット１６は、緊密に連結され、がたつくこともなく確実に連結される。
【００２９】
次に、プラグ１４とソケット１６の連結を解除するには、図１４に示すように、図１４（ａ）の連結状態から、プラグ１４とソケット１６を相対的にＹ軸方向に離間させるように力を加える。同時に図１４（ａ）においてプラグ１４とソケット１６の各基部１４ｂ，１６ｂを互いに離れる方向に回動させるように力を加える。すると、斜面３５ａと挿入ガイド面２５ｂとが当接して、係合突起２６を係合凹部３６から押し上げて抜脱させる力が働く。また、図１４（ｂ）に示すように、ソケット１６の被挿入部１８内の突出部３５の斜面３５ａと、プラグ１４の係合部２５の挿入ガイド面２５ｂの対向面同士が互いに面方向に摺動する。このとき、被挿入部１８と係合部２５は僅かに弾性変形し、摺動動作を可能にする。さらに、プラグ１４とソケット１６の各基部１４ｂ，１６ｂを互いに離れる方向に回動させるように力を加えると、図１４（ｃ）に示すように、被挿入部１８内の突出部３５の斜面３５ａと係合部２５の挿入ガイド面２５ｂが互いに接しない位置になり、プラグ１４とソケット１６の連結が解除される。
【００３０】
また、上述のようにプラグ１４とソケット１６を回動させるようにして連結を解除させる他、図１４（ａ）に示す状態から、プラグ１４とソケット１６を相対的にＹ軸方向に離間させるように力を加えると、被挿入部１８から挿入部２０が外れ、連結が解除される。
【００３１】
この実施形態の紐留め具１０によれば、プラグ１４とソケット１６の連結を、紐１２の両紐端部１２ａ，１２ｂを離間させるＸ軸方向の力に対して、直交するＹ軸方向の挿入動作により行うので、プラグ１４とソケット１６の連結強度が高いものである。さらに、連結解除に際しては、プラグ１４とソケット１６を回動させるように操作することによっても容易に連結が解除され、操作性が良い。さらに、挿入部２０や係合部２５が被挿入部１８内に隠れるので、良好な外観形状とすることができ、他の部材に引っかかることもない。プラグ１４及びソケット１６が、先端部１４ａ，１６ａから基部１４ｂ，１６ｂに向かって湾曲しているので、両紐端部１２ａ，１２ｂを左右方向であるＸ軸方向に引き離すように力が加えられた場合も、確実にプラグ１４とソケット１６の連結が解除され、安全性も高い。
【００３２】
さらに、係合部２５には、傾斜した挿入ガイド面２５ｂが設けられ、被挿入部１８への挿入が容易であり、しかも、被挿入部１８内の突出部３５により、係合部２５の先端部を確実に保持し、がたつくこともない。突出部３５には、斜面３５ａが形成され、連結及び連結解除操作も容易に行われる。特に、挿入ガイド面２５ａは、係合部２５のＹ軸方向長さの１／２以上に形成され、プラグ１４とソケット１６の回動作による連結解除を容易にしている。
【００３３】
プラグ１４とソケット１６は、上部材２１，３１と下部材２２，３２とにより各々形成され、紐１２の両紐端部１２ａ，１２ｂを、各々収容部２３，２８，３３，３８により挟持して固定してなるものであり、両紐端部１２ａ，１２ｂがプラグ１４とソケット１６内に収容され、保持強度が高く、紐端部１２ａ，１２ｂの固定部分が見えず、外観上も良好なものにすることができる。
【００３４】
なお、この考案の紐留め具は、上記各実施形態に限定されるものではなく、紐留め具の構成材料は、樹脂以外に金属や樹脂と金属の複合材料でも良い。前記プラグ及び前記ソケットは、少なくとも一方が先端部から基部に向かって湾曲していればよく、この湾曲により、紐に一定以上の力が掛かると連結が解除され、安全性が保たれる。被挿入部内の突出部も適宜係合部に当接するものであれば良い。
【符号の説明】
【００３５】
１０  紐留め具
１２  紐
１２ａ，１２ｂ  紐端部
１４  プラグ
１６  ソケット
１８  被挿入部
１８ａ  被係合部
１９ｘ  第一開口部
１９ｙ  第二開口部
２０  挿入部
２０ａ  先端部
２１，３１  上部材
２２，３２  下部材
２２ａ，３２ａ  係止孔
２３，２８，３３，３８  紐収容部
２５  係合部
２５ａ  係合面
２５ｂ  挿入ガイド面
２６  係合突起
２７，３７  係止突部
２４，２９，３４，３９  保持突起
３５  突出部
３５ａ  斜面
３６  係合凹部
【図１】
0003202559.tif 000003
【図２】
0003202559.tif 000004
【図３】
0003202559.tif 000005
【図４】
0003202559.tif 000006
【図５】
0003202559.tif 000007
【図６】
0003202559.tif 000008
【図７】
0003202559.tif 000009
【図８】
0003202559.tif 000010
【図９】
0003202559.tif 000011
【図１０】
0003202559.tif 000012
【図１１】
0003202559.tif 000013
【図１２】
0003202559.tif 000014
【図１３】
0003202559.tif 000015
【図１４】
0003202559.tif 000016